【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
ハードコート層と耐摩耗層を含む積層体であって、
前記耐摩耗層は、パーフルオロポリエーテル構造を有する１価の基と、加水分解性基とがケイ素原子に結合している第１のフッ素化合物（Ａ）由来の縮合構造と、第１のフッ素化合物（Ａ）とは異なる第２のフッ素化合物（Ｂ）由来の構造とを含む層であり、
前記第２のフッ素化合物（Ｂ）は、下記式（ｂ１）で表される化合物であるか、又は下記式（ｂ３）で表され、数平均分子量が９，０００〜１３，０００の化合物であることを特徴とする積層体。
【化１】
2018134865.tif 000001
上記式（ｂ１）中、
Ａ1はフッ素原子であり、
Ａ2は−ＳｉＡ3cＲ103-cで表される基であり、Ａ3は加水分解性基であり、Ｒ10は炭素数１〜２０のアルキル基であり、ｃは１〜３の整数であり、
Ｒｆb11、Ｒｆb12は、それぞれ独立して水素原子、フッ素原子、又は−ＣＦ3であり、但し−｛Ｃ（Ｒｆb11）（Ｒｆb12）｝−が−ＣＨ2−となる場合は除かれ、Ｒｆb11が複数存在する場合は複数のＲｆb11がそれぞれ異なっていてもよく、Ｒｆb12が複数存在する場合は複数のＲｆb12がそれぞれ異なっていてもよく、
Ｄは、−Ｏ−、−Ｃ（＝Ｏ）−Ｏ−、−Ｏ−Ｃ（＝Ｏ）−Ｏ−、−ＮＲ−、−ＮＲＣＯ−、又は−ＣＯＮＲ−（Ｒは水素原子、炭素数が１〜４のアルキル基又は炭素数が１〜４の含フッ素アルキル基を表す。）であり、Ｄが複数存在する場合は複数のＤがそれぞれ異なっていてもよく、
ｂ１は０以上５以下、ｂ２は４以上２２０以下、ｂ３は０以上１９０以下であり、
Ａ1−、Ａ2−、ｂ１個の−（ＣＨ2）−、ｂ２個の−｛Ｃ（Ｒｆb11）（Ｒｆb12）｝−、ｂ３個の−（Ｄ）−は、Ａ1−、Ａ2−が末端となり、パーフルオロポリエーテル構造を有しておらず、かつ−Ｏ−が−Ｏ−乃至−Ｆと連続しない限り、任意の順序で並んで結合する。
【化２】
2018134865.tif 000002
上記式（ｂ３）中、
Ｒ70は、炭素数１〜３のパーフルオロアルキル基であり、
Ｒ71は炭素数１〜３のパーフルオロアルコキシ基であり、
ｍ１＝ｍ２＝０であり、
ｍ３個の−（ＯＣ2Ｆ4）−、ｍ４個の−（ＯＣＦ2）−は、Ｒ70、Ｒ71が末端となる限り、任意の順序で並び、ｍ３及びｍ４は、化合物（Ｂ）が常圧で液体となるよう定められる値である。
【請求項２】
前記第１のフッ素化合物（Ａ）の数平均分子量が２，０００以上、５０，０００以下である請求項１に記載の積層体。
【請求項３】
前記第１のフッ素化合物（Ａ）が下記式（ａ１）で表される請求項１又は２に記載の積層体。
【化３】
2018134865.tif 000003
上記式（ａ１）中、
Ｒｆa1は、両端が酸素原子である２価のパーフルオロポリエーテル構造であり、
Ｒ11、Ｒ12、及びＲ13は、それぞれ独立して、炭素数１〜２０のアルキル基であり、Ｒ11が複数存在する場合は複数のＲ11がそれぞれ異なっていてもよく、Ｒ12が複数存在する場合は複数のＲ12がそれぞれ異なっていてもよく、Ｒ13が複数存在する場合は複数のＲ13がそれぞれ異なっていてもよく、
Ｅ1、Ｅ2、Ｅ3、Ｅ4、及びＥ5は、それぞれ独立して水素原子又はフッ素原子であり、Ｅ1が複数存在する場合は複数のＥ1がそれぞれ異なっていてもよく、Ｅ2が複数存在する場合は複数のＥ2がそれぞれ異なっていてもよく、Ｅ3が複数存在する場合は複数のＥ3がそれぞれ異なっていてもよく、Ｅ4が複数存在する場合は複数のＥ4がそれぞれ異なっていてもよく、
Ｇ1及びＧ2は、それぞれ独立して、シロキサン結合を有する２〜１０価のオルガノシロキサン基であり、
Ｊ1、Ｊ2、及びＪ3は、それぞれ独立して、加水分解性基又は−（ＣＨ2）e6−Ｓｉ（ＯＲ14）3であり、ｅ６は１〜５であり、Ｒ14はメチル基又はエチル基であり、Ｊ1が複数存在する場合は複数のＪ1がそれぞれ異なっていてもよく、Ｊ2が複数存在する場合は複数のＪ2がそれぞれ異なっていてもよく、Ｊ3が複数存在する場合は複数のＪ3がそれぞれ異なっていてもよく、
Ｌ1及びＬ2は、それぞれ独立して、酸素原子、窒素原子、フッ素原子を含んでいてもよい炭素数１〜１２の２価の連結基であり、Ｌ1が複数存在する場合は複数のＬ1がそれぞれ異なっていてもよく、Ｌ2が複数存在する場合は複数のＬ2がそれぞれ異なっていてもよく、
ａ１０及びａ１４は、それぞれ独立して０〜１０であり、
ａ１１及びａ１５は、それぞれ独立して０又は１であり、
ａ１２及びａ１６は、それぞれ独立して０〜９であり、
ａ１３は、０又は１であり、
ａ２１、ａ２２、及びａ２３は、それぞれ独立して０〜２であり、
ｄ１１は、１〜９であり、
ｄ１２は、０〜９であり、
ｅ１、ｅ２、及びｅ３は、それぞれ独立して１〜３である。
【請求項４】
前記第１のフッ素化合物（Ａ）が下記式（ａ２−１）で表される請求項１〜３のいずれかに記載の積層体。
【化４】
2018134865.tif 000004
上記式（ａ２−１）中、
Ｒｆa21は、１個以上の水素原子がフッ素原子に置換された炭素数１〜２０のアルキル基またはフッ素原子であり、
Ｒｆa22、Ｒｆa23、Ｒｆa24、Ｒｆa25は、それぞれ独立して、１個以上の水素原子がフッ素原子に置換された炭素数１〜２０のアルキル基またはフッ素原子であり、複数のＲｆa22が存在する場合は複数のＲｆa22がそれぞれ異なっていてもよく、複数のＲｆa23が存在する場合は複数のＲｆa23がそれぞれ異なっていてもよく、複数のＲｆa24が存在する場合は複数のＲｆa24がそれぞれ異なっていてもよく、複数のＲｆa25が存在する場合は複数のＲｆa25がそれぞれ異なっていてもよく、
Ｒ20、Ｒ21、Ｒ22、Ｒ23は、それぞれ独立して、水素原子または炭素数１〜４のアルキル基であり、複数のＲ20が存在する場合は複数のＲ20がそれぞれ異なっていてもよく、複数のＲ21が存在する場合は複数のＲ21がそれぞれ異なっていてもよく、複数のＲ22が存在する場合は複数のＲ22がそれぞれ異なっていてもよく、複数のＲ23が存在する場合は複数のＲ23がそれぞれ異なっていてもよく、
Ｒ24は、炭素数１〜２０のアルキル基であり、複数のＲ24が存在する場合は複数のＲ24がそれぞれ異なっていてもよく、
Ｍ1は、水素原子または炭素数１〜４のアルキル基であり、複数のＭ1が存在する場合は複数のＭ1がそれぞれ異なっていてもよく、
Ｍ2は、水素原子またはハロゲン原子であり、
Ｍ3は、−Ｏ−、−Ｃ（＝Ｏ）−Ｏ−、−Ｏ−Ｃ（＝Ｏ）−、−ＮＲ−、−ＮＲＣ（＝Ｏ）−、又は−Ｃ（＝Ｏ）ＮＲ−（Ｒは水素原子、炭素数１〜４のアルキル基又は炭素数１〜４の含フッ素アルキル基）であり、複数のＭ3が存在する場合は複数のＭ3がそれぞれ異なっていてもよく、
Ｍ4は、加水分解性基であり、複数のＭ4が存在する場合は複数のＭ4がそれぞれ異なっていてもよく、
ｆ１１、ｆ１２、ｆ１３、ｆ１４、ｆ１５はそれぞれ独立して０以上６００以下の整数であり、ｆ１１、ｆ１２、ｆ１３、ｆ１４、ｆ１５の合計値は１３以上であり、
ｆ１６は、１以上２０以下の整数であり、
ｆ１７は、０以上２以下の整数であり、
ｇ１は、１以上３以下の整数であり、
Ｒｆa21−、Ｍ2−、ｆ１１個の−｛Ｃ（Ｒ20）（Ｒ21）｝−、ｆ１２個の−｛Ｃ（Ｒｆa22）（Ｒｆa23）｝−、ｆ１３個の−｛Ｓｉ（Ｒ22）（Ｒ23）｝−、ｆ１４個の−｛Ｓｉ（Ｒｆa24）（Ｒｆa25）｝−、ｆ１５個の−Ｍ3−、ｆ１６個の−［ＣＨ2Ｃ（Ｍ1）｛（ＣＨ2）f17−Ｓｉ（Ｍ4）g1（Ｒ24）3-g1｝］は、Ｒｆa21−、Ｍ2−が末端となり、少なくとも一部でパーフルオロポリエーテル構造を形成する順で並び、かつ−Ｏ−が−Ｏ−乃至−Ｆと連続しない限り、任意の順で並んで結合する。
【請求項５】
前記積層体が、更にポリイミド系樹脂層を含み、表面から耐摩耗層、ハードコート層、ポリイミド系樹脂層の順である請求項１〜４のいずれかに記載の積層体。
【請求項６】
前記ハードコート層が無機フィラーを含む請求項１〜５のいずれかに記載の積層体。